(57)【要約】      （修正有）【課題】使用者の衣服や化粧への影響をより少なくして、より快適に仮眠を取ることができる机上で用いる枕を提供する。【解決手段】顔受け部１１には、使用者の鼻および口を入れるための空間を形成する凹部、凹部に使用者が鼻および口を入れたとき使用者の額および顎の面に沿って当接する曲面状に形成されている当接部、並びに凹部によって形成される空間を換気するための穴が設けられている。支え１２は、顔受け部１１の凹部に対向する側に設けられている接合部に一方の端部が接合される、１５センチメートル乃至３０センチメートルの長さの棒状の支えである。【選択図】図２
0003176681.tif 000002
【実用新案登録請求の範囲】
【請求項１】
机上で用いる枕であって、
使用者の鼻および口を入れるための空間を形成する凹部、前記凹部に前記使用者が鼻および口を入れたとき前記使用者の額および顎の面に沿って当接する曲面状に形成されている当接部、並びに前記凹部によって形成される前記空間を換気するための穴が設けられている顔受け部と、
前記顔受け部の前記凹部に対向する側に設けられている接合部に一方の端部が接合される、１５センチメートル乃至３０センチメートルの長さの棒状の支えと
を備える枕。
【請求項２】
請求項１に記載の枕であって、
一方の面が前記支えの他方の端部に接合され、前記支えが接合される面に対向する面に滑り止めを有する台をさらに備える
枕。
【請求項３】
請求項１に記載の枕であって、
前記顔受け部の前記接合部は、前記支えが所定の角度範囲で回動可能に前記支えの前記端部と接合される
枕。
【請求項４】
請求項３に記載の枕であって、
一方の面が前記支えの他方の端部に、前記支えが所定の角度範囲で回動可能に接合され、前記支えが接合される面に対向する面に滑り止めを有する台をさらに備える
枕。
【考案の詳細な説明】
【技術分野】
【０００１】
本考案は枕に関し、特に、机上で用いる枕に関する。
【背景技術】
【０００２】
現代社会では、職務等にパーソナルコンピュータを使用することが多くなっている。パーソナルコンピュータの普及により、目と頭とが酷使されている。
【０００３】
このような状況の中、昼休みの時間に仮眠を取れるのが理想である。
【０００４】
従来、顔面の目、鼻、口の外側を受ける座面を上面側に有する馬蹄形に形成された座部の底面に、高さ調節可能な複数本の脚部を設けた台座と、前記座部の座面に、座面に沿って載置される枕部とからなり、机で短時間の仮眠をとる際に、机上に置き、台座の座部の座面に載置された枕部に顔面を当てることができるようにしたものもある（例えば、特許文献１参照）。
【先行技術文献】
【特許文献】
【０００５】
【特許文献１】登録実用新案第３１２０９２６号公報
【考案の概要】
【考案が解決しようとする課題】
【０００６】
しかしながら、職務中において、男性は、ネクタイ、ワイシャツ、背広を着用し、女性は、化粧をしているのが通常である。これまでの枕を使用すると、男性の場合、ネクタイや背広が机の角に当たってしまい、型くずれが起き、跡が残ってしまう。また、女性の場合、顔に広範囲に当たってしまうので、化粧が崩れてしまう。
【０００７】
また、椅子に座った状態で、机の上面の近くに頭を置くような、いわゆる突っ伏した状態で仮眠を取ろうとすると、腹や胸が強く折れ曲がり、圧迫されてしまい、苦しくなってしまう。また、首、すなわち頸椎に負担がかかる。このような状態では、充分な休息を得ることはできない。
【０００８】
本考案は、このような状況に鑑みてなされたものであり、使用者の衣服や化粧への影響をより少なくして、より快適に仮眠を取ることができるようにするものである。
【課題を解決するための手段】
【０００９】
本考案の一側面は、机上で用いる枕であって、使用者の鼻および口を入れるための空間を形成する凹部、前記凹部に前記使用者が鼻および口を入れたとき前記使用者の額および顎の面に沿って当接する曲面状に形成されている当接部、並びに前記凹部によって形成される前記空間を換気するための穴が設けられている顔受け部と、前記顔受け部の前記凹部に対向する側に設けられている接合部に一方の端部が接合される、１５センチメートル乃至３０センチメートルの長さの棒状の支えとを備える枕である。
【００１０】
椅子に座り机上で用いることにより、使用者の上半身が比較的立った状態で、より軽微な荷重で使用者の額および顎が支えられるので、使用者の衣服や化粧への影響がより少なくなり、さらに、使用者の腹や胸が強く折れ曲がることがないので、楽に呼吸をすることができ、より快適に仮眠を取ることができる。
【００１１】
一方の面が前記支えの他方の端部に接合され、前記支えが接合される面に対向する面に滑り止めを有する台をさらに設けることができる。このようにすることで、枕がより確実に机に対して固定されるので、枕を押さえる必要がなくなり、さらにより快適に仮眠を取ることができる。
【００１２】
前記顔受け部の前記接合部には、前記支えが所定の角度範囲で回動可能に前記支えの前記端部と接合されるようにできる。このようにすることで、使用者の姿勢の自由度が増し、より楽な姿勢をとることができる。従って、さらにより快適に仮眠を取ることができる。
【００１３】
一方の面が前記支えの他方の端部に、前記支えが所定の角度範囲で回動可能に接合され、前記支えが接合される面に対向する面に滑り止めを有する台をさらに設けることができる。このようにすることで、枕がより確実に机に対して固定されるので、枕を押さえる必要がなくなり、さらにより快適に仮眠を取ることができる。
【考案の効果】
【００１４】
以上のように、本考案の一側面によれば、使用者の衣服や化粧への影響をより少なくして、より快適に仮眠を取ることができる。
【図面の簡単な説明】
【００１５】
【図１】枕１の使用状態を示す図である。
【図２】枕１の構成を示す斜視図である。
【図３】顔受け部１１の構造を示す図である。
【図４】顔受け部１１の断面を示す断面図である。
【図５】顔受け部１１の断面を示す断面図である。
【図６】支え１２の構造を示す図である。
【図７】台１３の構造を示す図である。
【考案を実施するための形態】
【００１６】
以下に本考案の実施の形態を説明するが、本考案の構成要件と、考案の詳細な説明に記載の実施の形態との対応関係を例示すると、次のようになる。この記載は、本考案をサポートする実施の形態が、考案の詳細な説明に記載されていることを確認するためのものである。従って、考案の詳細な説明中には記載されているが、本考案の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００１７】
本考案の一側面の枕は、机上で用いる枕（例えば、図２の枕１）であって、使用者の鼻および口を入れるための空間を形成する凹部（例えば、図３の凹部３１）、前記凹部に前記使用者が鼻および口を入れたとき前記使用者の額および顎の面に沿って当接する曲面状に形成されている当接部（例えば、図３の当接部３２および当接部３３）、並びに前記凹部によって形成される前記空間を換気するための穴（例えば、図３の換気穴３６）が設けられている顔受け部（例えば、図２の顔受け部１１）と、前記顔受け部の前記凹部に対向する側に設けられている接合部（例えば、図３の接合部３７）に一方の端部が接合される、１５センチメートル乃至３０センチメートルの長さの棒状の支え（例えば、図２の支え１２）とを備える。
【００１８】
一方の面が前記支えの他方の端部に接合され、前記支えが接合される面に対向する面に滑り止めを有する台（例えば、図２の台１３）をさらに設けることができる。
【００１９】
以下、図面を参照しながら本考案の一実施の形態の枕１について説明する。図１は、枕１の使用状態を示す図である。使用者は、椅子に座り、机上に枕１を置いて、両手で机上の枕１の端部を支える。そのうえで、使用者は、枕１に顔を当てると、枕１は、頭、首、および上半身を支える。使用者は、この状態で仮眠を取ることができる。
【００２０】
使用者の上半身が比較的立った状態になるので、顔にかかる荷重が小さく、楽に額および顎が支えられる。使用者の衣服、例えば、ネクタイ、ワイシャツ、背広に皺がよってしまったり、一部の化粧が取れてしまうなど化粧崩れを防止できる。
【００２１】
また、使用者の腹や胸が強く折れ曲がることがないので、楽に呼吸をすることができ、さらに、頸椎（首）に負担がかからず、顔面で平均的に頭の荷重を支えるので、より快適に仮眠を取ることができる。すなわち、短時間で快眠できる。
【００２２】
例えば、会社（職場）や家庭などいずれの場所でも、昼の食事が終ったときに、その場で、テーブルまたは机上に枕１を置いて、仮眠ができる。枕１を使って、１０分から１５分の仮眠を取れば、快眠でき、眼、頭、身体の疲れが取れる。したがって、その後の仕事の能率が向上することになる。
【００２３】
昼休みの昼食後、短時間で昼寝をしてみても、なかなか寝付けないのが通常である。この枕１を使用すると、身体、特に頸椎（首）に負担がかからないので、すぐにリラックスでき、より速く睡眠状態になる。従って、短い空き時間であっても、昼寝をすることができる。そして、起きた後に頸椎（首）などに違和感を与えることがなく、即座に仕事に取り掛かることができる。
【００２４】
オフィスで使用する場合、机上でパーソナルコンピュータに向かって仕事をする姿勢で寝ることができるので、男性であれば、ネクタイ、ワイシャツ、背広に皺がよってしまったりすることがなく、女性であれば、化粧崩れを防止できる。起きた後に、衣服や化粧を直す必要が無いので、より短い空き時間でも昼寝をすることができる。
【００２５】
事務職以外であっても、また、学生や家庭でも、食事の後、横になることなく、テーブルの上で昼寝ができ、同様の効果を得ることができる。使用者は横になる必要がないので、広い場所を別途用意する必要がない。
【００２６】
このように場所と時間を選ばず仮眠を取ることができるので、仮眠後に使用者の活力が向上し、仕事の能率が上がる。
【００２７】
図２は、枕１の構成を示す斜視図である。枕１は、発泡スチロールや発泡ポリプロピレンなどのプラスチック、バルサ材やコルク材などの木材、若しくはダンボールやクラフト紙などの紙材など、またはこれらを組み合わせた、透明または不透明の比較的軽量で柔軟な材料で成形される。枕１を不透明な材料で形成した場合には、使用者の寝顔を見られてしまうことを防止できる。また、枕１を透明な材料で形成した場合には、使用者は仮眠を取りながら、即座に周囲を視認することができる。
【００２８】
枕１を比較的柔軟な材料で成形すれば、使用者の顔に痛みを感じさせることがなく、また、使用者の顔に跡が残ることを防止できる。枕１を比較的軽量な材料で成形すれば、使用の準備をしたり、使用後の片付けをするのが容易になる。
【００２９】
枕１は、顔受け部１１、支え１２、および台１３からなる。なお、顔受け部１１、支え１２、および台１３のそれぞれを形成する材料は、同じであっても、異なるものであってもよい。
【００３０】
顔受け部１１は、人の顔を受けるのに必要な大きさに形成され、使用者の顔が当てられ、使用者の顔を支える。例えば、顔受け部１１は、箱状に形成されている。顔受け部１１には、使用者の鼻および口を入れるための空間を形成する凹部が設けられている。また、顔受け部１１には、使用者の額および顎の面に沿って当接する曲面状に当接部が形成されている。さらに、顔受け部１１には、換気のための換気穴が設けられている。なお、顔受け部１１は、箱状に限らず、円筒状、半球形状、または仮面状に形成することができる。以下、箱状の顔受け部１１を例に説明する。
【００３１】
支え１２は、１０センチメートル乃至４０センチメートルの長さ、より好ましくは、１５センチメートル乃至３０センチメートルの長さの棒状に形成されている。支え１２の太さは、使用者の頭および首並びに顔受け部１１を支えるのに充分な強度と剛性とが得られ、使用するときに使用者が支えやすい太さとされる。支え１２の上側の一端は、顔受け部１１の側のうち、凹部に対向する側に接合される。支え１２の下側の一端は、台１３に接合される。
【００３２】
なお、支え１２と顔受け部１１との接合は、形状による受けまたは嵌め合いとして、取り外し可能としても、接着や粘着またはビス留めなど、取り外しできないように固定するようにしてもよい。支え１２と顔受け部１１とを取り外し可能とした場合には、枕１を使用しない場合に、分解して、より小さくして机の引き出しまたは収納箱に収納したり、吊るしておいたりすることもできる。また、支え１２と顔受け部１１とを取り外しできないように固定した場合には、顔受け部１１のぐらつきをなくすことが出来るので、より安定し、より安心して仮眠を取ることができる。
【００３３】
以下、支え１２と顔受け部１１との接合が、形状による受けである場合を例に説明する。
【００３４】
なお、支え１２と台１３との接合は、形状による受けまたは嵌め合いとして、取り外し可能としても、接着や粘着またはビス留めなど、取り外しできないように固定するようにしてもよい。支え１２と台１３とを取り外し可能とした場合には、枕１を使用しない場合に、分解して、さらにより小さくして机の引き出しなどに収納することができる。また、支え１２と台１３とを取り外しできないように固定した場合には、使用時においてさらに安定し、さらに安心して仮眠を取ることができる。
【００３５】
以下、支え１２と台１３との接合が、形状による受けである場合を例に説明する。
【００３６】
次に、顔受け部１１、支え１２、および台１３のそれぞれの構造の詳細について説明する。まず、顔受け部１１について説明する。図３は、顔受け部１１の構造を示す図である。図３（Ａ）、図３（Ｂ）、図３（Ｃ）、および図３（Ｄ）は、それぞれ、顔受け部１１の構造を示す上面図、左側面図、正面図、および底面図である。なお、右側面図は、左側面図と同様であり、背面図は正面図と同様なので、省略する。図４は、図３（Ａ）に示される断面ＡＡ‘における顔受け部１１の断面を示す断面図である。図５は、図３（Ａ）に示される断面ＢＢ‘における顔受け部１１の断面を示す断面図である。
【００３７】
顔受け部１１の上面には、凹部３１、当接部３２、当接部３３、および当接部３４が設けられている。凹部３１の中の底には、さらに溝３５が設けられている。顔受け部１１の左側面および右側面には、換気穴３６が設けられている。顔受け部１１の底面には、接合部３７が設けられている。さらに、顔受け部１１の背面および正面には、換気穴３８が設けられている。
【００３８】
凹部３１は、顔受け部１１の上面から凹んだ形状とされ、使用者の顔の突出した部分を入れるための空間を形成する。凹部３１は、少なくとも、使用者の鼻および口が入る空間を形成する。例えば、凹部３１は、使用者の眉毛、目、鼻、および口が入る空間を形成する。
【００３９】
当接部３２は、使用者の額の面に沿って当接するように凹状の曲面状に形成され、凹部３１の奥側に配置されている。当接部３３は、使用者の顎の面に沿って当接するように凹状の曲面状に形成され、凹部３１の手前側に配置されている。当接部３４は、使用者の頬およびこめかみの面に沿って当接するように曲面状に形成され、凹部３１の左右に配置されている。顔受け部１１に使用者が顔を当てたとき、すなわち、凹部３１に使用者が鼻および口を入れたとき、当接部３２は、使用者の額に当接し、当接部３３は、使用者の顎に当接し、当接部３４は、使用者の頬およびこめかみに当接する。
【００４０】
当接部３４が、使用者の頬およびこめかみに当接すると共に、使用者の顔の左右の位置を規制し、当接部３２および当接部３３が使用者の額と顎とからの荷重を受けるので、使用者は、顔の中で比較的堅い部分である額と顎で、自分の頭と首とを楽に支えることができるようになる。
【００４１】
溝３５は、凹部３１によって形成される空間の左右方向の中央部分をさらに深くするように設けられている。溝３５によって、使用者の鼻が顔受け部１１に接触してしまい、化粧が落ちてしまうことを防止できる。また、鼻の前により広い空間が形成されるので、空気が流れやすくなり、仮眠している使用者の呼吸が楽になる。
【００４２】
換気穴３６および換気穴３８は、凹部３１によって形成される空間と顔受け部１１の外側とを連接する穴である。凹部３１によって形成される空間の空気が、換気穴３６または換気穴３８から顔受け部１１の外に排出され、また、顔受け部１１の外の空気が、換気穴３６または換気穴３８から、凹部３１によって形成される空間の中に導入される。すなわち、換気穴３６および換気穴３８は、凹部３１によって形成される空間を換気するための穴である。
【００４３】
接合部３７は、顔受け部１１と支え１２とを接合する。接合部３７には、接合穴３９が設けられている。接合穴３９の断面は、支え１２の上側の端部の断面の形状と対応した形状に形成される。枕１が使用されるとき、接合穴３９に支え１２の上側の端部が挿入されて、嵌め合いにより、支え１２と顔受け部１１とが接合される。
【００４４】
次に、支え１２の構造の詳細について説明する。図６は、支え１２の構造を示す図である。図６（Ａ）および図６（Ｂ）は、それぞれ、支え１２の構造を示す正面図および左側面図である。なお、右側面図は、左側面図と同様であり、背面図は正面図と同様なので、省略する。
【００４５】
支え１２は、棒状に形成される。支え１２の長さは、１０センチメートル乃至４０センチメートルの長さ、より好ましくは、１５センチメートル乃至３０センチメートルとされる。使用されるとき、支え１２の上端は、接合部３７の接合穴３９に挿入される。
【００４６】
支え１２は、軸５１および接合端５２を備える。軸５１は、所定の長さの四角柱状に形成される。軸５１は、使用者が顔受け部１１に顔をあてて、使用者の顔を支えることによって顔受け部１１にかかる荷重を支える。軸５１の長さは、枕１を机上に置いたとき、使用者の上半身が比較的立った状態で使用者が顔受け部１１に顔をあてるのが可能な長さとされる。例えば、支え１２全体の長さが、１０センチメートル乃至４０センチメートル、より好ましくは、１５センチメートル乃至３０センチメートルとなるように、軸５１は、所定の長さに形成される。例えば、軸５１は、四角柱状に形成される。なお、軸５１は、四角柱状に限らず、四角錐、円柱状、円錐状、または円筒状などに形成することができる。
【００４７】
接合端５２は、台１３に接合される。接合端５２の下端は、下の面が曲面となるかまぼこ状に形成される。すなわち、接合端５２は、正面から見て下に開く略扇形状であって、側面から見て下側が円弧となる略半円形状に形成される。
【００４８】
次に、台１３の構造の詳細について説明する。図７は、台１３の構造を示す図である。図７（Ａ）、図７（Ｂ）、および図７（Ｃ）は、それぞれ、台１３の構造を示す上面図、正面図、および図７（Ａ）の断面ＣＣ‘における断面を示す断面図である。なお、右側面図、左側面図、および背面図は、正面図と同様なので、省略する。
【００４９】
台１３は、四角形の平板状に形成されている。台１３の上面には、接合穴７１が設けられ、台１３の底面には、滑り止め７２が装着されている。接合穴７１は、支え１２の接合端５２に対応する凹形状に形成される。接合穴７１には、支え１２の接合端５２が接合される。すなわち、接合穴７１の側面方向の断面は、図７（Ｃ）に示されるように、下向きに凹む略半円形状となり、接合穴７１の正面方向の断面は、直線状になる。すなわち、接合穴７１に、支え１２の接合端５２が接合されたとき、接合穴７１には、支え１２が所定の角度範囲で回動可能に支え１２の接合端５２と接合される。台１３に対して支え１２が所定の角度範囲で回動可能となるので、使用者の姿勢の自由度が増し、より楽な姿勢をとることができる。従って、さらにより快適に仮眠を取ることができる。
【００５０】
なお、顔受け部１１の接合穴３９および支え１２の上端を、それぞれ、接合穴７１および接合端５２と同様の形状とすることができる。この場合、顔受け部１１に対して支え１２が所定の角度範囲で回動可能となるので、使用者の姿勢の自由度が増し、より楽な姿勢をとることができる。従って、さらにより快適に仮眠を取ることができる。
【００５１】
滑り止め７２は、摩擦係数の比較的高い天然ゴム、合成ゴムやシリコンゴムなどのエラストマー、またはゲルなどの粘着材料などからシート状に形成され、机上で台１３が滑ることを防止し、よって、机上で枕１が滑ってしまうことを防止する。枕１がより確実に机に対して位置決めされるので、枕１を押さえる必要がなくなり、さらにより快適に仮眠を取ることができる。
【００５２】
このように、顔受け部１１に、使用者の鼻および口を入れるための空間を形成する凹部３１、凹部３１に前記使用者が鼻および口を入れたとき前記使用者の額および顎の面に沿って当接する曲面状に形成されている当接部３２および当接部３３、並びに凹部３１によって形成される前記空間を換気するための換気穴３６を設け、１５センチメートル乃至３０センチメートルの長さの棒状の支え１２の一方の端部が、顔受け部１１の凹部３１に対向する側に設けられている接合部３７に接合されるので、椅子に座り机上で用いることにより、使用者の上半身が比較的立った状態で、より軽微な荷重で使用者の額および顎が支えられるので、使用者の衣服や化粧への影響がより少なくなり、さらに、使用者の腹や胸が強く折れ曲がることがないので、楽に呼吸をすることができ、より快適に仮眠を取ることができる。
【００５３】
一方の面が支え１２の他方の端部に接合され、支え１２が接合される面に対向する面に滑り止め７２を有する台１３をさらに設けることができる。この場合、枕１がより確実に机に対して固定されるので、枕１を押さえる必要がなくなり、さらにより快適に仮眠を取ることができる。
【００５４】
また、枕１の構造は簡単なので、量産が容易であり、安価に製造することができる。
【００５５】
なお、換気穴３６または換気穴３８にはメッシュなどの目隠しを付けて、換気穴３６または換気穴３８から凹部３１によって形成される空間内が見えないようにすることもできる。
【００５６】
また、本考案の実施の形態は、上述した実施の形態に限定されるものではなく、本考案の要旨を逸脱しない範囲において種々の変更が可能である。
【符号の説明】
【００５７】
１  枕，  １１  顔受け部，  １２  支え，  １３  台，  ３１  凹部，  ３２  当接部，  ３３  当接部，  ３４  当接部，  ３５  溝，  ３６  換気穴，  ３７  接合部，  ３８  換気穴，  ３９  接合穴，  ５１  軸，  ５２  接合端，  ７１  接合穴，  ７２  滑り止め
【図１】
0003176681.tif 000003
【図２】
0003176681.tif 000004
【図３】
0003176681.tif 000005
【図４】
0003176681.tif 000006
【図５】
0003176681.tif 000007
【図６】
0003176681.tif 000008
【図７】
0003176681.tif 000009